(57)【要約】【課題】チップ（刃物）をハンドピースに取り付けたり取り外したりするためのチップ着脱工具を不要にするとともに、チップをハンドピースに取り付けた際、チップ先端がいつも同じ方向を向くようにして、チップ先端をスポット照明可能とする。【解決手段】振動体２は振動子と一体的にかつ直線状に形成されてハンドピース本体より延出し、延出した部分において、振動体に対して所定の角度θをもって着脱自在に固定される。振動体２は先端部側に上方より所定の角度θをもってチップ３０を挿入可能で、挿入されたチップ３０は、チップ固定部材４０により振動体２に固定される。【選択図】図１
2005204770.tif 000002
【特許請求の範囲】
【請求項１】
振動子と、該振動子からの振動を伝達する振動体と、該振動体に着脱自在に取り付けられるチップと、該チップを前記振動体に着脱自在に固定するためのチップ固定部材とから成り、前記振動体は前記振動子と一体的に連結されかつ直線状に形成されてハンドピース本体より延出し、前記チップは前記振動体の延出した部分において、該直線状の振動体に対して所定の角度をもって着脱自在に固定される歯科用振動治療具において、前記振動体は先端部側に軸心に沿って延長するチップ固定用の中心孔と、該中心孔に対して上方より所定の角度をもって交差するチップ挿入用の貫通孔と、先端部外周に設けられた雄ネジとを有し、前記チップ固定部材は、一方の端部が閉塞され他方の端部が開放された円筒体から成り、該円筒体の内周には前記振動体の先端部外周に設けられた雄ネジに螺合する雌ネジが設けられ、該円筒体の中心軸には前記振動体に設けられた中心孔に挿通される突起を有し、該チップ固定部材に設けられた雌ネジを前記振動体に設けられた雄ネジに螺合して締め付けた時に、該チップ固定部材に設けられた前記突起が前記チップ挿入用の貫通孔に挿入されたチップを押圧して該チップを前記振動体に固定するようにしたことを特徴とする歯科用振動治療具。
【請求項２】
振動子と、該振動子からの振動を伝達する振動体と、該振動体に着脱自在に取り付けられるチップと、該チップを前記振動体に着脱自在に固定するためのチップ固定部材とから成り、前記振動体は前記振動子と一体的に連結されかつ直線状に形成されてハンドピース本体より延出し、前記チップは前記振動体の延出した部分において、該直線状の振動体に対して所定の角度をもって着脱自在に固定される歯科用振動治療具において、前記振動体は先端部側に軸心に沿って延長するチップ固定用の中心孔と、該中心孔に対して上方より所定の角度をもって交差するチップ挿入用の貫通孔と、先端凹部内周に設けられた雌ネジとを有し、前記チップ固定部材は、外周部に前記凹部内に設けられた雌ネジに螺合する雄ネジを有する突起部と、該突起部より延長して前記振動体に設けられた前記中心孔に挿通される突起とを有し、該チップ固定部材の前記突起部外周に設けられた雄ネジを前記振動体の前記凹部内周に設けられた雌ネジに螺合して締め付けた時に、該チップ固定部材に設けられた前記突起が前記チップ挿入用の貫通孔に挿入されたチップを押圧して該チップを前記振動体に固定するようにしたことを特徴とする歯科用振動治療具。
【請求項３】
前記振動体の下部に光導体を有し、該光導体の先端から放射される光が前記チップの先端部近傍を照明するように配設されていることを特徴とする請求項１又は２に記載の歯科用振動治療具。
【請求項４】
前記振動体の軸中心に前記チップ固定用の中心孔に同軸の冷却水供給孔を有し、該冷却水供給孔より前記チップに冷却水を供給するようにしたことを特徴とする請求項１乃至３のいずれかに記載の歯科用振動治療具。
【請求項５】
請求項１乃至４のいずれかに記載の歯科用振動治療具に使用するチップであって、該チップは、頭部側所定位置にＯリングを有し、該Ｏリングは前記チップ挿入用の貫通孔に加圧挿入可能であることを特徴とする歯科用治療チップ。
【発明の詳細な説明】
【技術分野】
【０００１】
本発明は、歯科治療において、歯石除去、ルートプレーニング（Root  Plainning）、根管の拡大、洗浄等を行うのに使用する振動子付き歯科用振動治療具、及び該歯科用振動治療具に用いて好適なチップ（刃物）に関する。
【背景技術】
【０００２】
歯科治療においては、歯石の除去、根面の平面化（Root  Plainning）、根管の拡大、洗浄等を行うために、最近では、一般的には、超音波振動子やエアー振動子を用いたハンドピースを使用している。
【０００３】
図４（Ａ）は、超音波振動子を用いたハンドピース１０の例としての周知の超音波スケーラ（scaler)の一例を説明するための要部断面構成図、図４（Ｂ）は、図４（Ａ）の矢印Ｂ−Ｂ線方向から見た図で、図中、１は超音波振動子、２は該超音波振動子１の振動が伝搬される超音波振動体、３は接続プラグ部、４（４1〜４n）はライトガイドで、これらがハンドピース本体５内に収納され、前記超音波振動体２にチップ（作業工具＝刃物）２０が着脱自在に螺着され、該チップ２０が超音波振動されて歯石の除去が行われる。また、光源ランプからの光がライトガイド４（４1〜４n）内に導入され、該ライトガイド４（４1〜４n）を通してハンドピース本体の先端部にまで伝達され、該先端部より、図４（Ｂ）に４1〜４nにて示すように、円環状に放射されてチップ２０の先端部（作業部）を照明するようにしている。
【０００４】
従来の歯科用超音波治療具は、前述のように、チップ（作業工具）２０は、超音波振動体２にねじ等によって着脱可能に装着されるようになっているが、螺着した時のチップ２０の向きが、どちらに向くかは不定であり、そのため、チップ２０がどちらを向いてもよいように、ライトガイド４を多数本（４1〜４n）用い、その光放出端を、図４（Ｂ）に示したように、円環状に配設している（例えば、特許文献１参照）。
【０００５】
上述のように、歯科用超音波振動（又はエアー振動）治療具において、従来のチップ（作業工具）は、振動体にネジで取り付けるため、チップ先がどの方向を向いて固定されるか特定できない。そこで、ハンドピース先端から放射される光はリング状であることが一般的である。しかし、リングライトの照射範囲は狭く、チップ２０の先は図示のように曲がっており、特に、図５に示すような根管治療を行うために、チップ２０の先端にＵファイルやプラガー２０′を取り付けるタイプのものにおいては先端（治療部位）を照らすことは不可能である。
【０００６】
上述のごとき実情に鑑みて、本出願人は、先に、振動を伝達する振動体を直線状のものとし、この直線状の振動体をハンドピース本体から延出させるとともに、この直線状の延出部に所定の角度をもってチップ（刃物＝作業部材）を着脱自在に取り付け（螺着）可能とし、もって、チップを直線状とすることでチップの製作を容易にし、かつ、チップの先端が常に同じ方向に向くようにすることによって、ライトガイドの光照射をチップ先端部に集中可能とし、より効果的にチップ先端（作業箇所）を照明できるようにした歯科用振動治療具を提案した（特許文献２参照）。
【０００７】
図６は、出願人が先に提案した歯科用振動治療具の一例を説明するための要部構成図で、図中、図４及び図５に示した従来技術と同様の作用をする部分には、図４及び図５の場合と同一の参照番号が付してある。而して、図６に示した歯科用振動治療具においては、超音波振動子又はエアー振動子（以降、両者を含めて超音波振動子という）１の振動を伝達するための超音波振動体２は、ハンドピース１０の先端から直線状に延出し、その延出部にチップ２０が着脱自在に（例えば、螺着等によって）所定の角度θをもって装着されるようになっている。
【０００８】
図７は、図６に示した超音波振動子１と超音波振動体２の一体物をハンドピース１０から取り出した時の状態を示す図で、図７（Ｂ）に示すように、チップ２０の一端には、雄ネジ２０ａが設けられており、これに対応して、超音波振動体２のハンドピース本体１０より延出した所定の位置に、該延出部の軸線に対して所定の角度（θ）をもつ雌ネジ２ａが設けられており、該雌ネジ２ａにチップ２０の雄ネジ２０ａが着脱自在に装着されるようになっている。
【０００９】
上記超音波振動体２は、ハンドピース製作時、ハンドピース本体５内に一体的に組み込まれるものであるから、チップ２０を取り付ける取り付け箇所及び取り付けたチップの向きを予め設定することができ、従って、チップ２０の先端位置（作業部位）も予め決まっているので、ライトガイド４から放射される光の照射方向も予め決定するので、ライトガイド４からの照射光を、前記作業部位に集中させることができる。
【特許文献１】特開平９−１０２２７号公報
【特許文献２】特願２００２−３４４２６７号
【発明の開示】
【発明が解決しようとする課題】
【００１０】
現在、市場にある歯科用（又は獣医用）超音波スケーラにおいては、上述のように、チップ（刃物）はネジで取り付ける構造であり、取り付けには専用の着脱工具が必要なため、術者は治療目的によりチップを交換する際の手間と時間を要する。また、取付部分がネジのため、チップの先端はどの方向を向いて固定されるか特定できない。そこで、ハンドピース先端に内蔵されたライトガイド（ライトの出射部分）はリング状であることが一般的であるが、理想的には治療部位をスポット照明で集中的に照らすことである。
【００１１】
本発明は、本出願人が先に提案した歯科用振動治療具を更に改良して、チップ（刃物）をハンドピースに取り付けたり取り外したりするためのチップ着脱工具を不要にするとともに、チップをハンドピースに取り付けた際、チップ先端がいつも同じ方向を向くようにして、チップ先端をスポット照明可能とすることを目的としてなされたものである。
【課題を解決するための手段】
【００１２】
請求項１の発明は、振動子と、該振動子からの振動を伝達する振動体と、該振動体に着脱自在に取り付けられるチップと、該チップを前記振動体に着脱自在に固定するためのチップ固定部材とから成り、前記振動体は前記振動子と一体的に連結されかつ直線状に形成されてハンドピース本体より延出し、前記チップは前記振動体の延出した部分において、該直線状の振動体に対して所定の角度をもって着脱自在に固定される歯科用振動治療具において、前記振動体は先端部側に軸心に沿って延長するチップ固定用の中心孔と、該中心孔に対して上方より所定の角度をもって交差するチップ挿入用の貫通孔と、先端部外周に設けられた雄ネジとを有し、前記チップ固定部材は、一方の端部が閉塞され他方の端部が開放された円筒体から成り、該円筒体の内周には前記振動体の先端部外周に設けられた雄ネジに螺合する雌ネジが設けられ、該円筒体の中心軸には前記振動体に設けられた中心孔に挿通される突起を有し、該チップ固定部材に設けられた雌ネジを前記振動体に設けられた雄ネジに螺合して締め付けた時に、該チップ固定部材に設けられた前記突起が前記チップ挿入用の貫通孔に挿入されたチップを押圧して該チップを前記振動体に固定するようにしたことを特徴としたものである。
【００１３】
請求項２の発明は、振動子と、該振動子からの振動を伝達する振動体と、該振動体に着脱自在に取り付けられるチップと、該チップを前記振動体に着脱自在に固定するためのチップ固定部材とから成り、前記振動体は前記振動子と一体的に連結されかつ直線状に形成されてハンドピース本体より延出し、前記チップは前記振動体の延出した部分において、該直線状の振動体に対して所定の角度をもって着脱自在に固定される歯科用振動治療具において、前記振動体は先端部側に軸心に沿って延長するチップ固定用の中心孔と、該中心孔に対して上方より所定の角度をもって交差するチップ挿入用の貫通孔と、先端凹部内周に設けられた雌ネジとを有し、前記チップ固定部材は、外周部に前記凹部内に設けられた雌ネジに螺合する雄ネジを有する突起部と、該突起部より延長して前記振動体に設けられた前記中心孔に挿通される突起とを有し、該チップ固定部材の前記突起部外周に設けられた雄ネジを前記振動体の前記凹部内周に設けられた雌ネジに螺合して締め付けた時に、該チップ固定部材に設けられた前記突起が前記チップ挿入用の貫通孔に挿入されたチップを押圧して該チップを前記振動体に固定するようにしたことを特徴としたものである。
【００１４】
請求項３の発明は、請求項１又は２の発明において、前記振動体の下部に光導体を有し、該光導体の先端から放射される光が前記チップの先端部近傍を照明するように配設されていることを特徴としたものである。
【００１５】
請求項４の発明は、請求項１乃至３のいずれかの発明において、前記振動体の軸中心に前記チップ固定用の中心孔に同軸の冷却水供給孔を有し、該冷却水供給孔より前記チップに冷却水を供給するようにしたことを特徴としたものである。
【００１６】
請求項５の発明は、請求項１乃至４のいずれかに記載の歯科用振動治療具に使用するチップであって、該チップは、頭部側所定位置にＯリングを有し、該Ｏリングは前記チップ挿入用の貫通孔に加圧挿入可能であることを特徴としたものである。
【発明の効果】
【００１７】
本発明によると、チップ（刃物）をまっすぐな物にすることができ、チップの位置を一定とすることができる。この場合、曲げの工程が入らないので品質の安定性が向上し、チップのコストも下がる。チップの着脱が工具無しで行える。更には、ライトガイドをリング状とする必要が無く、且つ、チップ先端に光を当てることができる。
【発明を実施するための最良の形態】
【００１８】
図１は、本発明による歯科用振動治療具の一実施例を説明するための要部概略構成図で、１０はハンドピース、２は振動体で、該振動体２は、チップ（刃物）３０が、該振動体２の軸心に対して所定の角度θをもって上下方向に挿入され、チップ固定部材４０によって該振動体２に固定されるようになっている。
【００１９】
図２（Ａ）、図２（Ｂ）は、それぞれ図１に示したチップ固定部材４０を振動体２から取り外した時の断面構成図で、図２（Ａ）に示す例は、振動体２の先端部外周には雄ネジ２1が設けられており、その軸心にはチップ固定用の孔２2が設けられており、更に、前記チップ固定用の孔２2に交差してかつ所定の角度θをもってチップ挿入用の孔２3が上下方向に貫通して設けられている。一方、チップ固定部材４０は、一方の端部４０′が閉塞された有底の円筒体から成り、その開放端側内周面には、振動体２の外周に設けられた前記雄ネジ２1と螺合する雌ネジ４０1が設けられており、かつ、中心軸線に沿って、前記振動体２の中心軸に設けられたチップ固定用の孔２2に挿入される突起４０2が該チップ固定部材４０の開放端より突出して設けられている。
【００２０】
従って、チップ挿通孔２3にチップ３０を上方より挿通し、チップ固定部材４０を振動体２に螺合すると、チップ固定部材４０内の突起４０2が振動体２の中心孔２2をチップ挿入孔２3に向かって進み、該突起４０2の先端がチップ挿入孔２3内に挿入されたチップ３０に突き当り、該チップ３０を押圧して該チップ３０を固定する。
【００２１】
図２（Ｂ）は、振動体２側に雌ネジ２5を設け、チップ固定部材４０側に雄ネジ４０5を設けた例を示す図で、図示のように、振動体２の先端部に凹部２4を形成するとともに、該凹部２4の内周面に雌ネジ２5を設け、一方、チップ固定部材４０には、前記凹部２4に係合する突起部４０4を設けるとともに、該突起部４０4の外周に前記振動体２の凹部内周面に形成された雌ネジ２5と螺合する雄ネジ４０5を設け、更に、該突起部４０4から延長する突起４０2を設け、チップ固定部材４０の雄ネジ４０5を振動体２の雌ネジ２5に螺合して締め付けた時に、チップ固定部材４０の突起４０2が振動体２の中心孔２2内に挿入され、チップ挿通孔２3内に挿入されたチップを押圧固定するようにしたものである。
【００２２】
なお、チップ３０の突出長の調整は、チップ固定部材４０を逆方向に回転してチップ固定部材４０を後退させて、突起４０2がチップ３０を押圧する力を解き、該チップ３０の突き出し長さを調整した後、再度、チップ固定部材４０を締め付けることにより、簡単にチップ３０の突き出し長さを調整することができる。
【００２３】
振動体２の中心には、前記チップ固定用の中心孔２2を延長して形成された給水用の中心孔２4を有し、該中心孔２4を通して冷却水が供給され、該冷却水がチップ３０を伝って該チップ（刃物）３０の先端部に伝わり、該チップ先端部における治療（作業）箇所を冷却する。
【００２４】
図３は、本発明の実施に使用して好適なチップ（刃物）３０の一例を説明するための構成図で、図中、３１はＯリングで、該Ｏリング３１はチップ３０の頭部側の所定の位置又は任意所望の位置に固定できるようになっている。また、このＯリング３１の外径はチップ３０がチップ挿入孔２3に軽く（ある程度の力で）挿入固定される程度に形成されており、つまり、チップ固定部材４０がなくてもチップ３０が振動体２から抜け落ちない程度の力で固定されており、万が一、チップ３０の固定（締め付け）が弱かったような場合でも、術中にチップ３０が患者の口の中に誤って落ちるような危険を防止している。
【００２５】
上述のように、本発明によると、チップ（刃物）をまっすぐな物にすることができ、チップの位置を一定とすることができる。この場合、曲げの工程が入らないので品質の安定性が向上し、チップのコストも下がる。チップの着脱が工具無しで行える。ライトガイドをリング状とする必要が無く、且つ、チップ先端に光を当てることができる等の利点がある。
【図面の簡単な説明】
【００２６】
【図１】本発明による歯科用振動治療具の一実施例を説明するための要部構成図である。
【図２】図２（Ａ）、（Ｂ）は、それぞれ図１に示したチップ固定部材を取り外した時の要部断面図である。
【図３】本発明の実施に使用して好適なチップ（刃物）の一例を示す図である。
【図４】振動体を用いたハンドピースの例としての周知の超音波スケーラ（ｓｃａｌｅｒ）の一例を説明するための要部遮断構成図である。
【図５】ライトガイドの照射例を示す図である。
【図６】本出願人が先に提案した歯科用振動治療具の一例を説明するための要部構成図である。
【図７】図６に示した振動子と振動体の一体物をハンドピース本体から取り出した時の状態を示す図である。
【符号の説明】
【００２７】
１…超音波振動子（又はエアー振動子）、２…振動体、３…接続プラグ部、４（４1〜４n）…ライトガイド、５…ハンドピース本体、１０…ハンドピース、２０，３０…チップ（作業工具）、４０…チップ固定部材。
【図１】
2005204770.tif 000003
【図２】
2005204770.tif 000004
【図３】
2005204770.tif 000005
【図４】
2005204770.tif 000006
【図５】
2005204770.tif 000007
【図６】
2005204770.tif 000008
【図７】
2005204770.tif 000009